(57)【要約】      （修正有）【課題】立ち姿勢のまま、身体や腕に負担をかけずに連続してピンポイントの草抜きができ、草抜き後の粘性を持つ土や草を手元操作のみで機器から取り除き、連続して行えることができる草抜機器を提供する。【解決手段】先行爪５上部に軸支され、バネ８にて回動し開放しうる回動爪４は回動爪他端のレバーの操作により、草を挟み込み保持する。稈１を地面より抜くとピンポイントの草の根元を保持する先行爪と略直角面を持ち先行爪下端にバネ９により押し下げられたキッカ７が、抜かれた草を回動爪の下端方向に押さえ込む。その後、レバー操作で、回動爪を開放すると、抜かれた草が開放されると同時にキッカ底部が回動部内より瞬時に草を機器から放出することが出来る。さらにキッカ底面が、先行爪下端で急停止した衝撃で機器に付着した土や草を取り除くことができる。【選択図】図１
2013165703.tif 000002
【特許請求の範囲】
【請求項１】
稈体の下端に一体の取り付けられた草の根元に差し込まれる先行爪、この先行爪に摺動し、先行爪と直角面を持ち草を保持した後、草を強制的に放出するキッカ、先行爪上部に回動支点を持ち、草を先行爪の面とで蛤形状態で挟み込み保持する回動爪の三者構成を置く。回動爪の回転支点を介しての他方は稈体を貫通し、稈体上部の設けられたレバーに連結体を介して連結され、さらに回動爪上部は稈体上方への引き上げバネが連結されている構造とし、これらの構造により、稈体の軸心方向のみの操作で、身体に特別な負担をかけることなく、片手で連続して草を抜くことができることを特徴とした草抜機器。
【請求項２】
１項に於いてキッカは常時、先行爪先端方向にバネにて付勢され先行爪先端位置で停止され、また、回動爪は稈側との係合バネによって先行爪側面に対して開く向きの力を受けてきており、先行爪が地面の草の根元に差し込まれた時、キッカは回動爪の湾曲内部に収納され、稈体の上部に設けられたレバーを操作することにより、回動爪と先行爪側面、キッカ底面は草を蛤形状態において確実に保持し、そのまま先行爪を地面より引き抜くことで、容易且つ確実に草を抜くことができることを特徴とする草抜機器。
【請求項３】
１項に於いて系は、回動爪の回動支点を介した他端からの紐が稈体軸部を貫通し、稈体最上部の稈体と略直角位相のハンドルの下に取り付けられたレバーを握ることで、軽い力で草を蛤形状態で確実に保持することができることを特徴とする草抜機器。
【請求項４】
３項に於いて、レバーを開放することにより、回動爪はバネの力で先行爪側面から開放されて草を離し、キッカ底面部はバネにより、回動爪湾曲内部より草を押し下げ、キッカ底面部が先行爪先端で停止する衝撃で、先行爪、回動爪に付着した土や草を放出させることができるため、付着した土や草を更めて除去することなく、連続して草を抜くことができることを特徴とする草抜機器。
【発明の詳細な説明】
【技術分野】
【０００１】  本発明は立ち姿勢で、しかも片手のみでも身体に負担をかけず、押す、握る、引く、離すの単純な操作で連続して草抜きができる草抜機器に関するものである。
【背景技術】
【０００２】  高齢化が進む社会状況の中で、リンクス、屋敷内の芝生の草取りを行うには、しゃがんだ姿勢や座った姿勢で長時間行うことが要求され、身体への非常な負担になっている。このような背景の中で、立った状態で、しかも身体や腕に無理な力を必要とせず、連続して草抜きができることが非常に望まれてきている。
【先行技術文献】
【特許文献】
【０００３】
【特許文献１】  なし
【非特許文献１】  なし
【発明の概要】
【発明が解決しようとする課題】
【０００４】  現状では広範囲の草を抜く機器や、座ったりかがんだりして草を抜く機器は存在するが、芝生等のピンポイントの草を身体に負担をかけずにできる機能を有する機器は無かった。【０００５】  本発明は、身体に負担をかけずに立ち姿勢で地面に対し、略垂直な力のみで草抜きを可能とすることができたので、ここに本発明として提示するものである。【０００６】  本発明は、抜いた草等はレバーの緩めによる連鎖作用によって放出でき、連続して草抜きが可能となったので、本発明として提示するものである。
【課題を解決するための手段】
【０００７】  稈体の上部にハンドルとレバーを設け、また、稈体の下部に先行爪および回動爪を設け
地面と略垂直な力でピンポイントの草を狙いレバー操作にて草を蛤形状態で挟み込み稈体を持ち上げることで草を抜き取り確実に保持した後、再度、レバー操作にて草を放出することが可能となり、立ち姿勢のまま、身体や腕に負担をかけずにピンポイントの草を抜くことができる。【０００８】  先行爪側面を摺動する先行爪と略直角な面を持つキッカは下方向に、回動爪は開く向きにそれぞれ稈体にバネ係合している。キッカ底面は先行爪下端へ、また、回動爪は先行爪側面から開く方向に付勢された状態からハンドルとレバー操作で草を回動爪湾曲内部、先行爪側面、キッカ底面とで蛤形状態で確実に挟み込み保持に転じ、草を抜いた後、レバー操作で回転爪を開放させた時、キッカ底面にて、確実に草を回動爪湾曲内部より放出できることになる。また、キッカ底面が先行爪下端で停止した衝撃は、粘性のある土や草の機器からの放出を容易にし、改めて、機器に付着した土や草を除去することなく連続して草抜きを行うことができる。
【発明の効果】
【０００９】  稈体の先端の先行爪上部に回転支点を持つ回動爪は他端を係合ケーブル等で稈体上部のレバーに連結させたことにより、立ち姿勢のまま、ピンポイントの草をレバー操作および稈体の引き上げ動作のみで確実に抜くことができる。【００１０】  先行爪側面を摺動し、また先行爪と略直角面を構成するキッカは稈体特定部位とバネ係合し、レバー操作にて先行爪側面と回動爪湾曲内部、キッカ底面にて草を蛤形状態で確実に保持し、稈体を持ち上げることにより、身体に特別な負担をかけずに抜くことが可能になる。【００１１】  レバーにより、回動爪を開放すると、バネにより瞬時に回動爪は先行爪側面より離れ、解かれたキッカ底面は、抜いた草を放出する。この時、キッカ底面が先行爪先端に勢いよく戻されて停止した衝撃で、機器に付着した粘性を持つ土や草を自動的に放出することができるため、連続した草抜きを可能とすることができる。
【発明を実施するための形態】
【００１２】  稈体下端の設けられた先行爪、回動爪、キッカにて構成された草抜き機器にて、草をそれぞれ、先行爪、回動爪、キッカにて蛤形態にて挟み込んだ後、稈体を持ち上げにて抜き、その後、回動爪開放時にキッカにて草を機器より押し出し放出し、草や土の付着を取り除き、連続して草抜きを可能にしたことに特徴がある。
【実施例】
【００１３】  図１、図２に本案の実施例を示す。本発明は稈体１の上方にそれと略直角にハンドル２が取り付けられ、使用者の身長に合わせて位置を変更できるようになっている。さらに、ハンドル２の先端に軸支された回動可能なレバー３が取り付けられている。レバー３には稈体１内部を下方に貫通するケーブル６で係合される回動爪４が先行爪５に枢支されている。先端に丸みを有する先行爪５の上部に軸支され下先端に、鋸刃形刃を有する回動爪４の爪の頭部およびキッカ７は稈体１とのバネ係合を得ている。レバー３との連結はネジにて調節可能に取り付けられている。
さらに、先行爪５を上下に変動可能なガイド穴を持ち先行爪５と略直角面を持つキッカ７が先行爪５と摺動可能に取り付けられている。キッカ７は先行爪５の最下端で停止するようにストッパーが設けられている。回動爪４の頭部は回動爪ばね８による先行爪５との張力係合うがおかれ、常時、先行爪５の面より離れるように付勢されるとともに、キッカ７底面は先行爪５の先端に押し付けるように付勢されている。
今、稈体１上部のハンドル２を持ち、抜こうとする草の上にキッカ７の底面を押し当て、先行爪５を地面に突き刺すと、キッカ７底面が抜く草をおさえながらキッカばね９は加力され、キッカの面は回動爪４の湾曲内部に入り込んだ状態になる。次に稈体１上部のハンドル２とレバー３を握ることで、回動爪４が回動爪ばね８を引き伸ばして回動し、回動爪４の先端刃部が先行爪５の面に押し付けられ、草の根部分を挟んだ状態となる。この状態でハンドル２を持ち上げることにより、草を抜くことができる。先行爪５が地面より抜けると、キッカばね９の戻り力により、抜けた草を回動爪４内部で回動爪４先端に押さえつけ、確実に抜いた草を蛤形状態で保持することができる。
レバー３を開放すると、キッカばね９の戻り力により草は先行爪５の側壁から放出させられる。それに先立って回動爪４はバネ力によって蛤形の包持を解いている。さらに、キッカ７の底面の先行爪５の先端での急停止離脱力で、粘性を持った土や草を払い落とすことができる。
以上のことより、ピンポイントの草抜きを立ち姿勢のまま、地面に対し、略垂直方向の力のみで身体や腕に無理な力をくわえずに行うことができる。また、土や草の持つ粘性による土や草の付着を防止して、付着物の除去を行わずに連続して草抜きを行うことができる。
【符号の説明】
【００１４】１    稈体                    １１  摺動筒
２    ハンドル                １２  稈頂板
３    レバー                  １３  ケーブルとめ
４    回動爪                  １４  ハンドル蝶ねじ
５    先行爪                  １５  レバー係合稈下方受け
６    ケーブル                １６  係合座用超ねじ
７    キッカ                  １７  レバー側係合稈受板
８    回動爪ばね              １８  レバー受板とめ片
９    キッカばね
１０  レバー係合稈
【図１】
2013165703.tif 000003
【図２】
2013165703.tif 000004
【手続補正書】
【提出日】平成24年4月10日(2012.4.10)
【手続補正１】
【補正対象書類名】明細書
【補正対象項目名】全文
【補正方法】変更
【補正の内容】
【発明の詳細な説明】
【技術分野】
【０００１】  本発明は立ち姿勢で、しかも片手のみでも身体に負担をかけず、押す、握る、引く、離すの単純な操作で連続して草抜きができる草抜機器に関するものである。
【背景技術】
【０００２】  高齢化が進む社会状況の中で、リンクス、屋敷内の芝生の草取りを行うには、しゃがんだ姿勢や座った姿勢で長時間行うことが要求され、身体への非常な負担になっている。このような背景の中で、立った状態で、しかも身体や腕に無理な力を必要とせず、連続して草抜きができることが非常に望まれてきている。
【先行技術文献】
【特許文献】
【０００３】
【特許文献１】なし
【非特許文献１】なし
【発明の概要】
【発明が解決しようとする課題】
【０００４】  現状では広範囲の草を抜く機器や、座ったりかがんだりして草を抜く機器は存在するが、芝生等のピンポイントの草を身体に負担をかけずにできる機能を有する機器は無かった。【０００５】  本発明は、身体に負担をかけずに立ち姿勢で地面に対し、略垂直な力のみで草抜きを可能とすることができたので、ここに本発明として提示するものである。【０００６】  本発明は、抜いた草等はレバーの緩めによる連鎖作用によって放出でき、連続して草抜きが可能となったので、本発明として提示するものである。
【課題を解決するための手段】
【０００７】  稈体の上部にハンドルとレバーを設け、また、稈体の下部に先行爪および回動爪を設け
地面と略垂直な力でピンポイントの草を狙いレバー操作にて草を蛤形状態で挟み込み稈体を持ち上げることで草を抜き取り確実に保持した後、再度、レバー操作にて草を放出することが可能となり、立ち姿勢のまま、身体や腕に負担をかけずにピンポイントの草を抜くことができる。【０００８】  先行爪側面を摺動する先行爪と略直角な面を持つキッカは下方向に、回動爪は開く向きにそれぞれ稈体にバネ係合している。キッカ底面は先行爪下端へ、また、回動爪は先行爪側面から開く方向に付勢された状態からハンドルとレバー操作で草を回動爪湾曲内部、先行爪側面、キッカ底面とで蛤形状態で確実に挟み込み保持に転じ、草を抜いた後、レバー操作で回転爪を開放させた時、キッカ底面にて、確実に草を回動爪湾曲内部より放出できることになる。また、キッカ底面が先行爪下端で停止した衝撃は、粘性のある土や草の機器からの放出を容易にし、改めて、機器に付着した土や草を除去することなく連続して草抜きを行うことができる。
【発明の効果】
【０００９】  稈体の先端の先行爪上部に回転支点を持つ回動爪は他端を係合ケーブル等で稈体上部のレバーに連結させたことにより、立ち姿勢のまま、ピンポイントの草をレバー操作および稈体の引き上げ動作のみで確実に抜くことができる。【００１０】  先行爪側面を摺動し、また先行爪と略直角面を構成するキッカは稈体特定部位とバネ係合し、レバー操作にて先行爪側面と回動爪湾曲内部、キッカ底面にて草を蛤形状態で確実に保持し、稈体を持ち上げることにより、身体に特別な負担をかけずに抜くことが可能になる。【００１１】  レバーにより、回動爪を開放すると、バネにより瞬時に回動爪は先行爪側面より離れ、解かれたキッカ底面は、抜いた草を放出する。この時、キッカ底面が先行爪先端に勢いよく戻されて停止した衝撃で、機器に付着した粘性を持つ土や草を自動的に放出することができるため、連続した草抜きを可能とすることができる。
【発明を実施するための形態】
【００１２】  稈体下端の設けられた先行爪、回動爪、キッカにて構成された草抜き機器にて、草をそれぞれ、先行爪、回動爪、キッカにて蛤形態にて挟み込んだ後、稈体を持ち上げにて抜き、その後、回動爪開放時にキッカにて草を機器より押し出し放出し、草や土の付着を取り除き、連続して草抜きを可能にしたことに特徴がある。
【実施例】
【００１３】  図１、図２に本案の実施例を示す。本発明は稈体１の上方にそれと略直角にハンドル２が取り付けられ、使用者の身長に合わせて位置を変更できるようになっている。さらに、ハンドル２の先端に軸支された回動可能なレバー３が取り付けられている。レバー３には稈体１内部を下方に貫通するケーブル６で係合される回動爪４が先行爪５に枢支されている。先端に丸みを有する先行爪５の上部に軸支され下先端に、鋸刃形刃を有する回動爪４の爪の頭部およびキッカ７は稈体１とのバネ係合を得ている。レバー３との連結はネジにて調節可能に取り付けられている。
さらに、先行爪５を上下に変動可能なガイド穴を持ち先行爪５と略直角面を持つキッカ７が先行爪５と摺動可能に取り付けられている。キッカ７は先行爪５の最下端で停止するようにストッパーが設けられている。回動爪４の頭部は回動爪ばね８による先行爪５との張力係合うがおかれ、常時、先行爪５の面より離れるように付勢されるとともに、キッカ７底面は先行爪５の先端に押し付けるように付勢されている。
今、稈体１上部のハンドル２を持ち、抜こうとする草の上にキッカ７の底面を押し当て、先行爪５を地面に突き刺すと、キッカ７底面が抜く草をおさえながらキッカばね９は加力され、キッカの面は回動爪４の湾曲内部に入り込んだ状態になる。次に稈体１上部のハンドル２とレバー３を握ることで、回動爪４が回動爪ばね８を引き伸ばして回動し、回動爪４の先端刃部が先行爪５の面に押し付けられ、草の根部分を挟んだ状態となる。この状態でハンドル２を持ち上げることにより、草を抜くことができる。先行爪５が地面より抜けると、キッカばね９の戻り力により、抜けた草を回動爪４内部で回動爪４先端に押さえつけ、確実に抜いた草を蛤形状態で保持することができる。
レバー３を開放すると、キッカばね９の戻り力により草は先行爪５の側壁から放出させられる。それに先立って回動爪４はバネ力によって蛤形の包持を解いている。さらに、キッカ７の底面の先行爪５の先端での急停止離脱力で、粘性を持った土や草を払い落とすことができる。
以上のことより、ピンポイントの草抜きを立ち姿勢のまま、地面に対し、略垂直方向の力のみで身体や腕に無理な力をくわえずに行うことができる。また、土や草の持つ粘性による土や草の付着を防止して、付着物の除去を行わずに連続して草抜きを行うことができる。
【図面の簡単な説明】
【００１４】
【図１】は本考案の構造図である。
【図２】は本考案の各状態を示した図である。Ａ図は抜く草の上にキッカ７の底部をを押し付けた後、稈体を地面に押し付け、先行爪５を草の手前に突き刺した状態を表している。Ｂ図はハンドル２とレバー３を握り、回動爪４を回動させ、草を先行爪５とキッカ７底面と回動爪４にて蛤状態で草を包み込み、さらに、この状態で、稈体１を引き上げ、草を地面より抜いた状態を表している。Ｃ図はレバー３を離し、回動爪４を先行爪５から開放方向に開放すると同時にキッカ７は先行爪５の先端方向に押し下げられ、抜いた草を機器から放出した状態を表している。
【符号の説明】
【００１５】１    稈体                  １１  摺動筒
２    ハンドル              １２  稈頂板
３    レバー                １３  ケーブルとめ
４    回動爪                １４  ハンドル蝶ねじ
５    先行爪                １５  レバー係合稈下方受け
６    ケーブル              １６  係合座用超ねじ
７    キッカ                １７  レバー側係合稈受板
８    回動爪ばね            １８  レバー受板とめ片
９    キッカばね
１０  レバー係合稈
【手続補正２】
【補正対象書類名】図面
【補正対象項目名】全図
【補正方法】変更
【補正の内容】
【図１】
2013165703.tif 000005
【図２】
2013165703.tif 000006